(57)【要約】【課題】積み重ねるのに容易な六面体状の収納箱とする。【解決手段】縦方向、横方向及び厚さ方向の３方向に積み重ねられると、天面１１が上下左右に並んで陳列面Ｃとなる収納箱１０について、天面１１の４つの隅部に、それぞれ隅図柄２１を表示し、一の収納箱１０の隅部とこの隅部と突き当たる他の３つの収納箱１０の隅部とで構成される陳列面Ｃの格子点域に、隅図柄２１が合わさった別の図柄３１が表示されるようにする。【選択図】図４
2008285213.tif 000002
【特許請求の範囲】
【請求項１】
六面体状の収納箱で、この収納箱が縦方向、横方向及び厚さ方向の３方向に積み重ねられると、各収納箱の一の面が上下左右に並んで陳列面となるものであって、
前記一の面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示される、
ことを特徴とする六面体状の収納箱。
【請求項２】
六面体状の収納箱で、この収納箱が縦方向、横方向及び厚さ方向の３方向に積み重ねられると、各収納箱の一の面が上下左右に並んで陳列面となるものであって、
前記一の面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示される、
ことを特徴とする六面体状の収納箱。
【請求項３】
六面体状の収納箱で、この収納箱が縦方向、横方向及び厚さ方向の３方向に積み重ねられると、各収納箱の一の面が上下左右に並んで陳列面となるものであって、
前記一の面の４つの隅部にそれぞれ隅図柄が表示され、かつ前記一の面の４つの端縁部にそれぞれ縁図柄が表示され、
一の収納箱の隅部とこの隅部と突き当たる他の３つの収納箱の隅部とで構成される前記陳列面の格子点域に前記隅図柄が合わさった別の図柄が表示され、かつ一の収納箱の端縁部とこの端縁部と突き当たる他の収納箱の端縁部とで構成される前記陳列面の格子線域に前記縁図柄が合わさった別の図柄が表示される、
ことを特徴とする六面体状の収納箱。
【請求項４】
天面及び他の面を有する六面体状の収納箱で、この収納箱が厚さ方向に積み重ねられ包装されて収納箱包装品とされ、この収納箱包装品が縦方向及び横方向に積み重ねられると、各収納箱の天面が上下左右に並んでなる陳列面を有する収納箱積重ね構造となるものであって、
前記天面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示される、
ことを特徴とする六面体状の収納箱。
【請求項５】
天面及び他の面を有する六面体状の収納箱で、この収納箱が厚さ方向に積み重ねられ包装されて収納箱包装品とされ、この収納箱包装品が縦方向及び横方向に積み重ねられると、各収納箱の天面が上下左右に並んでなる陳列面を有する収納箱積重ね構造となるものであって、
前記天面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示される、
ことを特徴とする六面体状の収納箱。
【請求項６】
天面、底面及び側面を有する六面体状の収納箱で、この収納箱が縦方向、横方向及び厚さ方向の３方向に積み重ねられると、各収納箱の天面、底面及び側面の少なくともいずれかの面が上下左右に並んで陳列面となるものであって、
前記天面、底面及び側面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示される、
ことを特徴とする六面体状の収納箱。
【請求項７】
天面、底面及び側面を有する六面体状の収納箱で、この収納箱が縦方向、横方向及び厚さ方向の３方向に積み重ねられると、各収納箱の天面、底面及び側面の少なくともいずれかの面が上下左右に並んで陳列面となるものであって、
前記天面、底面及び側面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示される、
ことを特徴とする六面体状の収納箱。
【請求項８】
天面及び他の面を有する六面体状の収納箱が厚さ方向に積み重ねられ包装されて収納箱包装品とされ、この収納箱包装品が縦方向及び横方向に積み重ねられた、各収納箱の天面が上下左右に並んでなる陳列面を有する収納箱積重ね構造であって、
前記天面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示され、
前記収納箱の積重ねが、前記天面が手前側となるよう行われている、
ことを特徴とする収納箱の積重ね構造。
【請求項９】
天面及び他の面を有する六面体状の収納箱が厚さ方向に積み重ねられ包装されて収納箱包装品とされ、この収納箱包装品が縦方向及び横方向に積み重ねられた、各収納箱の天面が上下左右に並んでなる陳列面を有する収納箱積重ね構造であって、
前記天面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示され、
前記収納箱の積重ねが、前記天面が手前側となるよう行われている、
ことを特徴とする収納箱の積重ね構造。
【発明の詳細な説明】
【技術分野】
【０００１】
本発明は、内部にティシュペーパー等の衛生薄葉紙が収納される六面体状の収納箱、及び、当該収納箱を陳列のために積み重ねて形成された収納箱の積重ね構造に関するものである。
【背景技術】
【０００２】
現在、ティシュペーパー等の衛生薄葉紙は、ティシュカートンなどと呼ばれる六面体状の収納箱に収納されて、利用に供されている。この収納箱は、店頭で販売されるに際しては、一の収納箱の天面と他の収納箱の底面とが当接するように厚さ方向に例えば３から５個が積み重ねられ、この積み重ねられた状態で透明なフィルム等で包装されて収納箱包装品として、陳列されている。このようなことから、収納箱は、陳列された状態において目立つよう、複数個が積み重ねられた状態でのデザインも重視される。
このような観点から、現在では、例えば、天面と底面との間に位置するに側面に図柄が表示されているが、この図柄は１つの図柄が分割されたものであり、収納箱が厚さ方向に積み重ねられると、かかる分割された図柄が合わさって完成した図柄が形成される形態の収納箱が提案されている（例えば、特許文献１参照。）。この提案においては、更に、図柄が厚さ方向だけでなく横方向にも分割されており、収納箱が厚さ方向のほか横方向にも積み重ねられてはじめて完成した図柄となる形態も提案されている（例えば、特許文献１の図４参照。）。この後者の形態によると、より大きな図柄が完成することになるため、陳列された状態において一段と目立つようになる。
しかしながら、収納箱は、陳列された状態において目立つよう複数個が積み重ねられた状態でのデザインが重視されるが、それぞれ単独で使用に供される以上、個々のデザインが軽視されるものではない。したがって、各収納箱の側面に互いに異なるが完成した図柄を表示し、収納箱が厚さ方向に積み重ねられると、当該図柄が合わさって別の完成した図柄が表示されるようにする技術的思想（例えば、特許文献２参照。）も重要である。
【０００３】
もっとも、特許文献１などで提案された形態に、特許文献２などで提案された形態を組み合わせたとしても、次のような問題が残る。
すなわち、以上の形態によると、収納箱を厚さ方向や横方向へ積み重ねるに際し、その順序や方向を間違えると、積み重ねられた状態での図柄が全く意味を成さないものとなってしまう可能性がある。また、順序や方向に注意して収納箱を積み重ねるのでは、陳列するのに時間がかかってしまう。この点、収納箱は、一般に、工場などから収納箱包装品として配送されてくるため、店頭においては、個々の収納箱を厚さ方向に積み重ねる必要はない。しかしながら、個々の収納箱包装品を、更に厚さ方向に積み重ねる場合に、同様の問題が生じる可能性がある。しかも、特許文献１や特許文献２などから明らかなように、収納箱包装品は、店頭において、厚さ方向が垂直方向となり、図柄が表示された側面が手前側となるように配置する。このような配置のもと、収納箱包装品を厚さ方向に積み重ねると、積み重ねた収納箱包装品が倒れてしまうおそれがある。したがって、収納箱包装品は、厚さ方向にはそれほど多くを積み重ねることができず（通常、１〜５個の収納箱包装品を積み重ねるにとどまる。）、結果、厚さ方向に大きな図柄を表示することができない。実際、このようなことから、厚さ方向に関しては、１つの収納箱包装品となる範囲でしか図柄が合わさらないようになっている。
【特許文献１】特開２００６−６９６３７号公報
【特許文献２】特開２００５−１５３８９８号公報
【発明の開示】
【発明が解決しようとする課題】
【０００４】
本発明が解決しようとする主たる課題は、積み重ねるのに容易な六面体状の収納箱、及び、収納箱の積重ね構造を提供することにある。また、本発明が解決しようとする別の課題は、積み重ねるに容易で、より大きな図柄を表示することができることで広告媒体としても用いることができる六面体状の収納箱、及び、収納箱の積重ね構造を提供することにある。
【課題を解決するための手段】
【０００５】
この課題を解決した本発明は、次のとおりである。
〔請求項１記載の発明〕
六面体状の収納箱で、この収納箱が縦方向、横方向及び厚さ方向の３方向に積み重ねられると、各収納箱の一の面が上下左右に並んで陳列面となるものであって、
前記一の面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示される、
ことを特徴とする六面体状の収納箱。
【０００６】
〔請求項２記載の発明〕
六面体状の収納箱で、この収納箱が縦方向、横方向及び厚さ方向の３方向に積み重ねられると、各収納箱の一の面が上下左右に並んで陳列面となるものであって、
前記一の面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示される、
ことを特徴とする六面体状の収納箱。
【０００７】
〔請求項３記載の発明〕
六面体状の収納箱で、この収納箱が縦方向、横方向及び厚さ方向の３方向に積み重ねられると、各収納箱の一の面が上下左右に並んで陳列面となるものであって、
前記一の面の４つの隅部にそれぞれ隅図柄が表示され、かつ前記一の面の４つの端縁部にそれぞれ縁図柄が表示され、
一の収納箱の隅部とこの隅部と突き当たる他の３つの収納箱の隅部とで構成される前記陳列面の格子点域に前記隅図柄が合わさった別の図柄が表示され、かつ一の収納箱の端縁部とこの端縁部と突き当たる他の収納箱の端縁部とで構成される前記陳列面の格子線域に前記縁図柄が合わさった別の図柄が表示される、
ことを特徴とする六面体状の収納箱。
【０００８】
（請求項１〜３記載の発明の主な作用効果）
○  一の面の４つの隅部にそれぞれ隅図柄が表示され、一の収納箱の隅部とこの隅部と突き当たる他の３つの収納箱の隅部とで構成される陳列面の格子点域に、隅図柄が合わさった別の図柄が表示されると、順序や方向に注意して収納箱を積み重ねる必要がなく、積み重ねるに容易となる。また、隅図柄が合わさった別の図柄は、陳列面の格子点域に規則的に表示されることになるため、意匠的に好ましく、大きな図柄が表示されるとの要求も満たす。
○  同様に、一の面の４つの端縁部にそれぞれ縁図柄が表示され、一の収納箱の端縁部とこの端縁部と突き当たる他の収納箱の端縁部とで構成される陳列面の格子線域に、縁図柄が合わさった別の図柄が表示されると、順序や方向に注意して収納箱を積み重ねる必要がなく、積み重ねるに容易となる。また、縁図柄が合わさった別の図柄は、陳列面の格子線域に規則的に表示されることになるため、意匠的に好ましく、大きな図柄が表示されるとの要求も満たす。
【０００９】
〔請求項４記載の発明〕
天面及び他の面を有する六面体状の収納箱で、この収納箱が厚さ方向に積み重ねられ包装されて収納箱包装品とされ、この収納箱包装品が縦方向及び横方向に積み重ねられると、各収納箱の天面が上下左右に並んでなる陳列面を有する収納箱積重ね構造となるものであって、
前記天面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示される、
ことを特徴とする六面体状の収納箱。
【００１０】
〔請求項５記載の発明〕
天面及び他の面を有する六面体状の収納箱で、この収納箱が厚さ方向に積み重ねられ包装されて収納箱包装品とされ、この収納箱包装品が縦方向及び横方向に積み重ねられると、各収納箱の天面が上下左右に並んでなる陳列面を有する収納箱積重ね構造となるものであって、
前記天面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示される、
ことを特徴とする六面体状の収納箱。
【００１１】
（請求項４及び請求項５記載の発明の主な作用効果）
○  収納箱が厚さ方向に積み重ねられ包装されて収納箱包装品とされる場合においては、前述したように、厚さ方向が垂直方向となり、図柄が表示された側面が手前側となるように配置する収納箱の積重ね構造のもとでは、厚さ方向にそれほど多くを積み重ねることができず、結果、陳列面を広くすることができない。しかしながら、前述した隅図柄や縁図柄が表示される一の面を天面とすれば、収納箱の積重ね構造を、当該天面を手前側（前面）として、収納箱包装品を縦方向及び横方向に積み重ねる形態とすることができる。この形態によれば、収納箱包装品が倒れてしまうおそれがないため、陳列面を広くすることができ、より大きな図柄を表示することができる。
○  通常、収納箱包装品は、天面側に持ち手が付いているため、天面が手前側となるように陳列すると、消費者が収納箱包装品を取り易い。
【００１２】
〔請求項６記載の発明〕
天面、底面及び側面を有する六面体状の収納箱で、この収納箱が縦方向、横方向及び厚さ方向の３方向に積み重ねられると、各収納箱の天面、底面及び側面の少なくともいずれかの面が上下左右に並んで陳列面となるものであって、
前記天面、底面及び側面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示される、
ことを特徴とする六面体状の収納箱。
【００１３】
〔請求項７記載の発明〕
天面、底面及び側面を有する六面体状の収納箱で、この収納箱が縦方向、横方向及び厚さ方向の３方向に積み重ねられると、各収納箱の天面、底面及び側面の少なくともいずれかの面が上下左右に並んで陳列面となるものであって、
前記天面、底面及び側面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示される、
ことを特徴とする六面体状の収納箱。
【００１４】
（請求項６及び請求項７記載の発明の主な作用効果）
○  天面、底面及び側面の４つの隅部にそれぞれ隅図柄が表示され、一の収納箱の隅部とこの隅部と突き当たる他の３つの収納箱の隅部とで構成される陳列面の格子点域に隅図柄が合わさった別の図柄が表示されると、上下左右に並んで陳列面となるのが収納箱の天面、底面及び側面のいずれであっても大きな図柄が表示される。しかも、陳列面が２面以上となる場合においては、全ての陳列面に別の図柄が３次元的に規則的に表示されてなる大きな図柄が表示されることになるため、より目立つようになる。
○  天面、底面及び側面の４つの端縁部にそれぞれ縁図柄が表示され、一の収納箱の端縁部とこの端縁部と突き当たる他の収納箱の端縁部とで構成される陳列面の格子線域に縁図柄が合わさった別の図柄が表示される場合も、同様である。
【００１５】
〔請求項８記載の発明〕
天面及び他の面を有する六面体状の収納箱が厚さ方向に積み重ねられ包装されて収納箱包装品とされ、この収納箱包装品が縦方向及び横方向に積み重ねられた、各収納箱の天面が上下左右に並んでなる陳列面を有する収納箱積重ね構造であって、
前記天面の４つの隅部に、それぞれ隅図柄が表示され、
一の収納箱の隅部とこの隅部と突き当たる他の３つの収納箱の隅部とで構成される前記陳列面の格子点域に、前記隅図柄が合わさった別の図柄が表示され、
前記収納箱の積重ねが、前記天面が手前側となるよう行われている、
ことを特徴とする収納箱の積重ね構造。
【００１６】
〔請求項９記載の発明〕
天面及び他の面を有する六面体状の収納箱が厚さ方向に積み重ねられ包装されて収納箱包装品とされ、この収納箱包装品が縦方向及び横方向に積み重ねられた、各収納箱の天面が上下左右に並んでなる陳列面を有する収納箱積重ね構造であって、
前記天面の４つの端縁部に、それぞれ縁図柄が表示され、
一の収納箱の端縁部とこの端縁部と突き当たる他の収納箱の端縁部とで構成される前記陳列面の格子線域に、前記縁図柄が合わさった別の図柄が表示され、
前記収納箱の積重ねが、前記天面が手前側となるよう行われている、
ことを特徴とする収納箱の積重ね構造。
【００１７】
（請求項８及び請求項９記載の発明の主な作用効果）
○  天面の４つの隅部にそれぞれ隅図柄が表示され、一の収納箱の隅部とこの隅部と突き当たる他の３つの収納箱の隅部とで構成される陳列面の格子点域に隅図柄が合わさった別の図柄が表示され、収納箱の積重ねが、天面が手前側となるよう行われていると、前述したように、積み重ねるに容易で、しかもより大きな図柄が表示される収納箱の積重ね構造となる。
○  天面の４つの端縁部にそれぞれ縁図柄が表示され、一の収納箱の端縁部とこの端縁部と突き当たる他の収納箱の端縁部とで構成される陳列面の格子線域に縁図柄が合わさった別の図柄が表示され、収納箱の積重ねが、天面が手前側となるよう行われている場合も同様である。
【発明の効果】
【００１８】
本発明によると、積み重ねるのに容易な六面体状の収納箱、及び、収納箱の積重ね構造となる。さらには、積み重ねるのに容易で、しかも、より大きな図柄を表示することができることで広告媒体としても用いることができる六面体状の収納箱、及び、収納箱の積重ね構造となる。
【発明を実施するための最良の形態】
【００１９】
次に、本発明の実施の形態を説明する。
〔本形態の基本的な構造〕
本形態に係る六面体状の収納箱は、内空部に収納されている物が何であるかが特に限定されない。収納物としては、例えば、例えば、ティシュペーパー、キッチンペーパー、ペーパータオル、紙ナプキン、紙ワイプ（実験室での試験管やフラスコ等の試験器具の拭取りに使用されたり、作業現場での油汚れの拭取りに使用されたりする。）等の衛生薄葉紙、使い捨て紙おむつ、生理用ナプキン、ウェットティシュなどを例示することができる。以下では、収納物がティシュペーパーである場合を例に説明する。
【００２０】
図１に示すように、本形態の収納箱１０は、天面１１、底面１２及び四側面１３，１４…を有する六面体状となっている。ここで、本形態では、天面１１が有する長辺（横方向に延びる辺）を共有する面を長側面１３，１３、天面１１が有する短辺（縦方向に延びる辺）を共有する面を短側面１４，１４、天面１１と辺を共有しない面を底面１２ということができる。なお、本形態では、天面１１が長辺及び短辺を有する長方形状となっているが、全ての辺が同じ長さとされた正方形状であっても、本発明は適用可能である。
【００２１】
本形態の収納箱１０は、例えば、長辺（横方向）の長さが２００〜２５０ｍｍ、短辺（縦方向）の長さが１００〜１２０ｍｍ、高さ（厚さ）が５０〜１２０ｍｍであり、内空部にティシュペーパーＰが収納されている。収納箱１０は、使用に供するに際して、天面１１にティシュペーパーＰを取り出すための取出口８が形成される。この取出口８は、天面１１を、この天面１１に設けられている環状（ループ状）のミシン目や半スリット等からなる切断補助線に沿って裂開することで、形成される。取出口８は、中央部に横方向に沿うスリットが設けられたフィルム９によって、内空部側から覆われている。もちろん、本形態は、フィルム９が存在しない、いわゆるフィルムレスの場合にも適用可能である。
【００２２】
ティシュペーパーＰは、例えば２枚が１組とされ（２プライ）、１組１組を継続して収納箱１０から取り出せるように折り重ねられている。つまり、取出口８から突出するティシュペーパーＰを引き出すと、次のティシュペーパーＰの上端部が取出口８から突出する位置まで引き出されるように折り重ねられている（いわゆるポップアップ構造）。
【００２３】
本形態の収納箱１０は、図２に示すように、通常、店頭で販売されるに際しては、一の収納箱１０の天面１１と相互に隣接する他の収納箱１０の底面１２とが当接するように厚さ方向に例えば３から５個が、図示例では５個が積み重ねられ、この積み重ねられた状態で図示しない透明なフィルム等で包装されて収納箱包装品Ｕとして、陳列される。
【００２４】
〔本形態の特徴的な構造〕
本形態の収納箱１０は、図３に示すように、縦方向、横方向及び厚さ方向の３方向に積み重ねられ、各収納箱１０の一の面、図示例では天面１１が上下左右に並んで、消費者等の目に入る陳列面Ｃとなる。また、収納箱１０は、図４に示すように、天面１１の４つの隅部に、それぞれ同一形状の隅図柄２１，２１…が表示され、また、天面１１の４つの端縁部（つまり、天面１１の長辺及び短辺の近傍）、好ましくは端縁中央部に、それぞれ同一形状の縁図柄２２が表示されている。なお、隅図柄とは、単に隅部に表示された図柄を意味するのみであり、特に形状等を限定する趣旨ではない。同様に、縁図柄も、端縁部に表示された図柄を意味するのみであり、特に形状等を限定する趣旨ではない。
【００２５】
収納箱１０を積み重ねた場合においては、図５に示すように、一の収納箱１０の隅部とこの隅部と突き当たる他の３つの収納箱１０，１０…の隅部とで構成される陳列面Ｃの格子点域に、隅図柄２１，２１…が合わさって別の図柄３１が表示される。同様に、一の収納箱１０の端縁部とこの端縁部と突き当たる他の収納箱１０の端縁部とで構成される陳列面Ｃの格子線域に、縁図柄２２，２２…が合わさって別の図柄３２が表示される。
【００２６】
ここで、図６に示すように、それぞれの隅図柄２１，２１…は、異なる形状とすることもできる。ただし、この場合においても、一の収納箱１０の隅部とこの隅部と突き当たる他の３つの収納箱１０，１０…の隅部とで構成される陳列面Ｃの格子点域には、それぞれ異なる形状の隅図柄２１，２１…が合わさって別の図柄３１が表示される必要がある。同様に、それぞれの縁図柄２２，２２…も、異なる形状とすることができる。もちろん、この場合も、一の収納箱１０の端縁部とこの端縁部と突き当たる他の収納箱１０の端縁部とで構成される陳列面Ｃの格子線域には、それぞれ異なる形状の縁図柄２２，２２…が合わさって別の図柄３２が表示される必要がある。
【００２７】
なお、格子点域とは、当該領域が、相互に隣接する収納箱１０の境界線によって形成される格子模様の格子点近傍と一致することから、用いた用語である。同様に、格子線域とは、当該領域が、相互に隣接する収納箱１０の境界線によって形成される格子模様の格子線近傍と一致することから、用いた用語である。
【００２８】
本形態によると、順序や方向に注意して収納箱１０を積み重ねる必要がなく、積み重ねるに容易となる。特に、それぞれ同一形状の隅図柄２１，２１…が合わさって別の図柄３１が表示される形態や、それぞれ同一形状の縁図柄２２，２２…が合わさって別の図柄３２が表示される形態であれば、別の図柄３１，３２は、中心点が、格子点や格子線上に位置することになり、この状態で規則的に並ぶことになるため、収納箱１０を規則的に積み重ねることが容易となる。また、同一形状の形態においても異なる形状の形態においても、隅図柄２１，２１…が合わさった別の図柄３１や縁図柄２２，２２…が合わさった別の図柄３２は、陳列面Ｃの格子点域や格子線域に規則的に表示されることになるため、意匠的に好ましく、大きな図柄が表示されるとの要求も満たす。もちろん、本形態においては、隅図柄２１，２１…か、あるいは縁図柄２２，２２…の一方のみが表示された形態とすることも可能である。
【００２９】
ここで、隅図柄２１，２１…や縁図柄２２，２２…が表示される一の面を側面１３，１４…とすると、厚さ方向が垂直方向となり、図柄が表示された側面１３，１４…が手前側となるように配置する収納箱１０の積重ね構造とすることになる。しかしながら、収納箱１０が厚さ方向に積み重ねられ包装されて収納箱包装品Ｕとされる場合において、かかる積重ね構造を採用すると、前述したように、収納箱包装品Ｕが倒れてしまうおそれから、厚さ方向にそれほど多くを積み重ねることができず、結果、陳列面Ｃを広くすることができない。しかしながら、本形態例にように、隅図柄２１，２１…や縁図柄２２，２２…が表示される一の面を天面１１とすれば、図３に示すように、収納箱１０の積重ね構造を、当該天面１１，１１…を手前側として、収納箱包装品Ｕを縦方向及び横方向に積み重ねる形態とすることができる。この形態によれば、収納箱包装品Ｕが倒れてしまうおそれがないため、陳列面Ｃを広くすることができ、より大きな図柄を表示することができる。また、通常、収納箱包装品Ｕは、天面側に持ち手が付いているため、天面１１が手前側となるように陳列すると、消費者が収納箱包装品Ｕを取り易いとの利点もある。
【００３０】
もっとも、収納箱１０をどのように陳列するかは、販売店側の都合もあり、収納箱１０の天面１１、底面１２及び側面１３，１４のいずれの面が上下左右に並んで陳列面Ｃとなるか、コントロールできない場合もある。そこで、このような場合に対応するためには、図２に示すように、天面１１のみならず、底面１２及び側面１３，１４をも「一の面」とし、いずれの面にも隅図柄２１，２１…や縁図柄２２，２２…を表示しておくのが好ましい。この形態によると、上下左右に並んで陳列面Ｃとなるのが収納箱１０の天面１１、底面１２及び側面１３，１４のいずれであっても大きな図柄が表示される。しかも、陳列面Ｃが２面以上となる場合においては、全ての陳列面Ｃに別の図柄３１，３２が３次元的に規則的に表示されてなる大きな図柄が表示されることになるため、より目立つようになる。なお、特に、天面１１と辺を共有しない面である底面１２が手前側となるように陳列する場合もあるため、天面１１及び底面１２のみに、あるいは底面１２のみに隅図柄２１，２１…や縁図柄２２，２２…を表示しておく形態も有用である。
【００３１】
〔その他〕
○  本形態において、図柄とは、図、柄、絵、コンセプト、モチーフ又はこれらの組合せなどを意味し、視認した際に全体が繋がっており、統一感のある印象を与えるものをいう。上述した図示例では、図１及び図２の隅図柄２１，２１…や縁図柄２２，２２…は円形柄としてあり、図４及び図５の隅図柄２１，２１…や縁図柄２２，２２…は花火柄としている。なお、図３においては、図柄を省略している。もちろん、隅図柄２１と縁図柄２２とは同一形状でなくてもよく、別々の形状とすることもできる。また、図柄は、一色で構成されていても、多色で構成されていてもよい。
○  本形態においては、隅図柄２１，２１…や縁図柄２２，２２…以外の図柄が表示されていてはならないものではなく、適宜他の図柄を追加表示することもできる。
【産業上の利用可能性】
【００３２】
本発明は、内部にティシュペーパー等の衛生薄葉紙が収納される六面体状の収納箱、及び、当該収納箱を陳列のために積み重ねて形成された収納箱の積重ね構造として、適用可能である。
【図面の簡単な説明】
【００３３】
【図１】使用状態における収納箱の斜視図である。
【図２】収納箱包装品の斜視図である。
【図３】収納箱の積重ね構造の斜視図である。
【図４】隅図柄や縁図柄から別の図柄が表示されることを説明するための図である。
【図５】天面が上下左右に並んで陳列面となった場合の平面図である。
【図６】天面が上下左右に並んで陳列面となった場合の別の形態例の平面図である。
【符号の説明】
【００３４】
８…取出口、９…フィルム、１０…収納箱、１１…天面、１２…底面、１３，１４…側面、２１…隅図柄、２２…縁図柄、３１，３２…別の図柄、Ｃ…陳列面、Ｐ…ティシュペーパー、Ｕ…収納箱包装品。
【図１】
2008285213.tif 000003
【図２】
2008285213.tif 000004
【図３】
2008285213.tif 000005
【図４】
2008285213.tif 000006
【図５】
2008285213.tif 000007
【図６】
2008285213.tif 000008